(57)【要約】  【課題】    熟練を要することなく簡便に着用することができると同時に、和服には通常存在しない小物収容ポケットがおはしょり部の形成と一緒に下前身頃の内側に形成され、しかも着用した際におはしょり部および裾周りがもたつくことがない和服を提供すること。  【解決手段】  上前身頃(1)と下前身頃(2)及び後身頃(3)におけるおはしょり形成該当部分(61)を通常のおはしょりと同様の形態に外側に下向きに折込んで上前身頃(1)及び後身頃(3)のおはしょり形成基部(６')を表側から縫い付けることによりおはしょり部(6)を形成し、下前身頃(2)におけるおはしょり部の下端部(６”)を裏側から縫い付けると共におはしょり形成基部(６')の両端部のみを縫い付けることによりおはしょり形成基部(６')の上部が開放されたポケット部(9)を形成してなる。  【選択図】    図１
0003113910.tif 000002
【実用新案登録請求の範囲】
【請求項１】
予め形成されたおはしょりを有する和服であって、上前身頃と下前身頃及び後身頃におけるおはしょり形成該当部分を通常のおはしょりと同様の形態に外側に下向きに折込んで上記上前身頃及び後身頃のおはしょり形成基部を表側から縫い付けることによりおはしょり部を形成し、上記下前身頃におけるおはしょり部の下端部を裏側から縫い付けると共におはしょり形成基部の両端部のみを縫い付けることによりおはしょり形成基部の上部が開放されたポケット部を形成してなることを特徴とする和服。
【請求項２】
前記後身頃における胴部分から背中にかけた身幅を他の部分より狭く形成してなる請求項１記載の和服。
【請求項３】
前記上前身頃及び下前身頃のつま先を弧状に形成してなる請求項１又は２に記載の和服。
【考案の詳細な説明】
【技術分野】
【０００１】
本考案は和服に関し、特に予め形成されたおはしょりを有することにより洋服と同様の感覚で簡便に着用することができる和服に関するものである。
【背景技術】
【０００２】
通常、和服は身丈寸法を実際に着用する者の身長よりも長く作り、着付けの際に胴部分を外側に下向きに折込んでおはしょりを作ることにより、着用者の背丈に応じた裾合わせを行なうようになっている。
しかし、おはしょりをきちんと作るのには熟練を要し、他方で、おはしょりをきちんと作らないと和服を綺麗に且つ長く着崩れしないように着用することができないジレンマがある。
そこで従来から、おはしょりを簡易に形成できるもの（例えば、特許文献１参照。）や、予め形成されたおはしょりを有するもの（例えば、特許文献２参照。）、或いはおはしょりを後付けするもの（例えば、特許文献３参照。）、等が提案されているが、それぞれ一長一短がある。
【０００３】
【特許文献１】特開平１１−３５０２１０号公報
【特許文献２】特開２００３−１９３３０５公報
【特許文献３】特開２００１−１５９００６公報
【考案の開示】
【考案が解決しようとする課題】
【０００４】
本考案はこのような現状に鑑みてなされたものであり、予め形成されたおはしょりを有することにより、熟練を要することなく簡便に着用することができると同時に、和服には通常存在しない小物収容ポケットがおはしょり部の形成と一緒に下前身頃の内側に形成され、しかも着用した際におはしょり部および裾周りがもたつくことがない和服を提供せんとするものである。
【課題を解決するための手段】
【０００５】
斯かる目的を達成する本考案の和服は、予め形成されたおはしょりを有する和服であって、上前身頃と下前身頃及び後身頃におけるおはしょり形成該当部分を通常のおはしょりと同様の形態に外側に下向きに折込んで上記上前身頃及び後身頃のおはしょり形成基部を表側から縫い付けることによりおはしょり部を形成し、上記下前身頃におけるおはしょり部の下端部を裏側から縫い付けると共におはしょり形成基部の両端部のみを縫い付けることによりおはしょり形成基部の上部が開放されたポケット部を形成してなることを特徴としたものである（請求項１）。
この際、前記後身頃における胴部分から背中にかけた身幅を他の部分より狭く形成することが好ましい（請求項２）。
また、前記上前身頃及び下前身頃のつま先を円弧形状等の弧状に形成することが好ましい（請求項３）。
【考案の効果】
【０００６】
本考案に係る和服は斯様に上前身頃と下前身頃及び後身頃におけるおはしょり形成該当部分を通常のおはしょりと同様の形態に外側に下向きに折込んで上前身頃及び後身頃のおはしょり形成基部を表側から縫い付けることによりおはしょり部を形成し、下前身頃におけるおはしょり部の下端部を裏側から縫い付けると共におはしょり形成基部の両端部のみを縫い付けることによりおはしょり形成基部の上部が開放されたポケット部を形成してなるので、上前身頃及び後身頃には通常と同様の形態をしたおはしょりが存在し、下前身頃にはおはしょりが存在しないものとなる。しかし、本和服を着用した状態では、下前身頃は上前身頃で隠されてしまい上前身頃及び後身頃に形成されたおはしょり部が胴部の全周にわたって外観されることになる。
従って、単に上前身頃を下前身頃の上に合わせるだけで綺麗で且つしっかりとしたおはしょりが出来、紐や道具を使わなくともまた熟練を要することなく洋服と同様の感覚でもって簡便に着用することができる。
【０００７】
しかも、下前身頃におけるおはしょり部の下端部を裏側から縫い付けると共におはしょり形成基部の両端部のみを縫い付けることによりおはしょり形成基部の上部が開放されたポケット部を形成してなるので、下前身頃の上に上前身頃を重ね合わせた際におはしょり部分がもたつくことがなくなりすっきりすると共に、下前身頃の内側に通常和服には存在しない小物収容ポケットを有することになる。
更に、おはしょり部やポケット部を形成するのに上前身頃と下前身頃及び後身頃を含めて生地自体は一切切断していないので、縫い目を解けば通常の和服に戻して着用することも出来る。
【０００８】
また、特に請求項２に記載の和服のように、後身頃における胴部分から背中にかけた身幅を他の部分より狭く形成することにより、後身頃が身体の背中にフィットして、着用した時に背中部分に縦しわが生じにくくなり、見栄えが良いものとなる。
【０００９】
更に、特に請求項３に記載の和服のように、上前身頃及び下前身頃のつま先を弧状に形成することにより、歩行時において上前身頃及び下前身頃の裾踏みをなくして足さばきが良好なものになる。
【考案を実施するための最良の形態】
【００１０】
以下、本考案の具体的な好適実施例を図面を参照しながら詳細に説明する。
全図面を通して、同じ部材には同じ符号を付してあり、符号１は上前身頃、符号２は下前身頃、符号３は後身頃をそれぞれ示し、これらに袖４や衿５等を縫い付けて和服Ａが作製される。
【００１１】
和服Ａの身丈寸法は、通常の和服と同様に着用する者の身長よりも長く作り、予め上前身頃１及び後身頃３，３に着用者の背丈に合わせたおはしょり部６を作ることにより、裾の長さを合わせてある。従って、着用者が本和服Ａを羽織った時点で裾の高さが必然的に合うので、着用者は従来の和服のようにおはしょりを造って裾の長さをあわせる面倒な作業を行なう必要がなくなる。
【００１２】
おはしょり部６は、上前身頃１及び後身頃３，３におけるおはしょり形成該当部分６１（図４及び図５参照）を、通常のおはしょりと同様の形態に外側に下向きに折込んで、上前身頃１及び後身頃３のおはしょり形成基部６’を表側から縫い付けることにより形成される。
すなわち、上前身頃１及び後身頃３，３のおはしょり形成該当部分６１において、線ｂを山折りし線ｃを谷折りして、線ａを線ｃの上に重ね合わせておはしょり形成基部６’を表縫いし、線ｂと線ｃの間の部分を外側に下向きに垂らすことにより、通常のおはしょりと同様の形態をしたおはしょり部６を形成するものである。
なお、図中の符号７は、おはしょり形成基部６’を表縫いする縫い線を示す。
また、上前身頃１を後身頃３に縫い付ける場合、図４に示した線ａの位置まで互いに脇で縫い合わせ、然る後に、上前身頃１と後身頃３を一緒に折り込んでおはしょり形成基部６’を表側から縫い付ける。
【００１３】
他方、下前身頃２におけるおはしょり形成該当部分６１は、おはしょり部６とほぼ同様に折り込んで下端部６”を裏側から縫い付けると共に、おはしょり形成基部６’の両端部のみを縫い付けることによりおはしょり形成基部６’の上部が開放されたポケット部９が形成される。
すなわち、下前身頃２のおはしょり形成該当部分６１において、線ｂを山折りし線ｃを谷折りして、線ａを線ｃの上に重ね合わせておはしょり形成下端部６”を、表側に縫い線１０が出ないように裏縫いすると共に、おはしょり形成基部６’の両端部のみを縫い付けることにより、上部が開放されたポケット部９を形成するものである。
なお、下前身頃２を後身頃３に縫い付ける場合、図４に示した線ｄの位置まで互いに脇縫いを行なう。
【００１４】
また、後身頃３，３における胴部分から背中にかけた身幅は、他の部分より狭く形成される。すなわち、図４に示す如く後身頃３と３を互いに縫い合わせる際に、胴部分から背中にかけて（背中心を）少し内側に食い込むように破線１１に沿って縫い合わせることにより、胴部分から背中にかけた身幅を、他の部分より狭く形成するものである。ちなみに、身幅が調整された部分は、着用時にはおはしょり部６で隠蔽されてしまう。
【００１５】
更に、上前身頃及び下前身頃のつま先１２は、円弧形状等の弧状に形成される。この際、つま先１２の弧状の大きさには格別制限はないが、半径が１〜１０ｃｍの範囲が好ましく、３〜７ｃｍの範囲がより好ましい。
【図面の簡単な説明】
【００１６】
【図１】本考案実施の一例を示す和服の正面図。
【図２】（ａ）は図１の（Ｘ）−（Ｘ）線に沿う模式断面図。（ｂ）は図１の（Ｙ）−（Ｙ）線に沿う模式断面図。
【図３】同背面図。
【図４】本考案実施の一例を示す和服の上前身頃と下前身頃及び後身頃を夫々展開した状態を説明する背面図。
【図５】同上前身頃と下前身頃及び後身頃を夫々おはしょり形成該当部分で折り込んだ状態を説明する背面図。
【符号の説明】
【００１７】
Ａ：和服                        １：上前身頃
２：下前身頃                    ３：後身頃
４：袖                          ５：衿
６：おはしょり部              ６１：おはしょり形成該当部分
６’：おはしょり形成基部          ７：縫い線
６”：下端部                      ９：ポケット部
１０：縫い線                    １１：破線
１２：つま先
【図１】
0003113910.tif 000003
【図２】
0003113910.tif 000004
【図３】
0003113910.tif 000005
【図４】
0003113910.tif 000006
【図５】
0003113910.tif 000007